(57)【要約】【課題】パルスによってスイッチング電源の発振動作が切替わる電源システムにおいて、外乱ノイズにより不具合が発生するのを抑制する技術を提供すること。【解決手段】電源システムは、発振している状態であるＯＮモードと、発振が停止している状態であるＯＦＦモードとを有するスイッチング電源と、スイッチング電源の動作モードを指定するモード指定信号を生成するモード制御部と、モード指定信号にしたがってスイッチング電源の発振動作を制御する電源制御部とを備える。モード制御部は、ＯＮモードおよびＯＦＦモードのうち一方のモード期間中において、所定周期で連続する連続パルス信号をモード指定信号として、電源制御部のモード指定端子に出力する出力処理（Ｓ１３５）と、他方のモード期間中において、連続パルス信号の出力を制限する制限処理（Ｓ１５０）とを実行する。【選択図】図５
2015198509.tif 000002
【特許請求の範囲】
【請求項１】
交流電源から印加される交流電圧を直流電圧に変換して出力するスイッチング電源であって、動作モードとして、発振している状態であるＯＮモードと、発振が停止している状態であるＯＦＦモードとを有するスイッチング電源と、
前記交流電源から電力を供給されることにより起動する電源制御部であって、前記スイッチング電源の前記動作モードを指定するモード指定信号を入力されるモード指定端子を有し、前記モード指定信号にしたがって前記スイッチング電源の発振動作を制御する電源制御部と、
前記モード指定信号を生成するモード制御部と、
少なくとも前記スイッチング電源が発振を停止している間に、前記モード制御部に電力を供給する補助電源と、
を備え、
前記モード制御部は、
前記ＯＮモードおよび前記ＯＦＦモードのうち一方のモード期間中において、所定周期で連続する連続パルス信号を前記モード指定信号として、前記電源制御部の前記モード指定端子に出力する出力処理と、
他方のモード期間中において、前記連続パルス信号の出力を制限する制限処理と、を実行する、電源システム。
【請求項２】
請求項１に記載の電源システムにおいて、
前記電源制御部は、
前記連続パルス信号の入力に応じて前記所定周期毎に計時信号を生成するタイマと、
前記連続パルス信号の、前記所定周期でのパルス数を、前記計時信号に基づいてカウントするカウンタと、を含み、
前記カウンタのカウント値が所定値に達した際に、前記モード指定信号を有効と判断する有効判断処理を実行する、電源システム。
【請求項３】
請求項１または請求項２に記載の電源システムにおいて、
前記モード制御部は、
前記制限処理において、前記連続パルス信号の出力を停止する、電源システム。
【請求項４】
請求項１から請求項３のいずれか一項に記載の電源システムにおいて、
前記モード制御部は、
前記スイッチング電源の前記動作モードを示すモード情報を記憶する記憶部を有し、
前記出力処理において、前記記憶部に前記ＯＦＦモードのモード情報が記憶されているときに、前記ＯＦＦモードを指定する前記連続パルス信号を前記モード指定信号として前記電源制御部の前記モード指定端子に出力し、
前記制限処理において、前記記憶部に前記ＯＮモードのモード情報が記憶されているときに、前記ＯＦＦモードを指定する前記連続パルス信号の前記電源制御部への出力を制限し、
前記電源制御部は、
前記ＯＦＦモードを指定する前記連続パルス信号を入力されない場合、前記スイッチング電源を発振させる発振処理と、
前記ＯＦＦモードを指定する前記連続パルス信号を入力される場合、前記スイッチング電源の発振を停止させる発振停止処理と、を実行する、電源システム。
【請求項５】
請求項１から請求項３のいずれか一項に記載の電源システムにおいて、
前記モード制御部は、
前記スイッチング電源の前記動作モードを示すモード情報を記憶する記憶部を有し、
前記制限処理において、前記記憶部に前記ＯＦＦモードのモード情報が記憶されているときに、前記ＯＮモードを指定する前記連続パルス信号の前記電源制御部への出力を制限し、
前記出力処理において、前記記憶部に前記ＯＮモードのモード情報が記憶されているときに、前記ＯＮモードを指定する前記連続パルス信号を前記モード指定信号として前記電源制御部の前記モード指定端子に出力し、
前記電源制御部は、
前記ＯＮモードを指定する前記連続パルス信号を入力される場合、前記スイッチング電源を発振させる発振処理と、
前記ＯＮモードを指定する前記連続パルス信号を入力されない場合、前記スイッチング電源の発振を停止させる発振停止処理と、を実行する、電源システム。
【請求項６】
交流電源から印加される交流電圧を直流電圧に変換して出力するスイッチング電源であって、動作モードとして、発振している状態であるＯＮモードと、発振が停止している状態であるＯＦＦモードとを有するスイッチング電源（２０）と、
前記交流電源から電力を供給されることにより起動する電源制御部であって、前記スイッチング電源の前記動作モードを指定するモード指定信号を入力されるモード指定端子を有し、前記モード指定信号にしたがって前記スイッチング電源の発振動作を制御する電源制御部と、
前記モード指定信号を生成するモード制御部と、
少なくとも前記スイッチング電源が発振を停止している間に、前記モード制御部に電力を供給する補助電源と、
前記スイッチング電源が発振している状態であるか前記スイッチング電源が発振を停止している状態であるかを示す電源情報を生成する電源情報生成回路と、
前記スイッチング電源の前記動作モードを示すモード情報を記憶する記憶部と、を備え、
前記モード制御部は、
前記記憶部に記憶されているモード情報が前記ＯＮモードである場合において、前記スイッチング電源が発振している状態を示す前記電源情報を生成されるときに正常状態であると判断し、前記スイッチング電源が発振を停止している状態を示す前記電源情報を生成されるときに異常状態であると判断する判断処理と、
前記異常状態であると判断した場合、前記ＯＮモードを指定するＯＮモード指定信号を前記モード指定信号として前記モード指定端子に出力する異常時出力処理と、を実行する、電源システム。
【請求項７】
請求項６に記載の電源システムにおいて、
前記モード制御部は、
前記スイッチング電源の出力電圧を検出することにより前記電源情報を生成する前記電源情報生成回路を含み、
前記判断処理において、前記出力電圧が所定値以上である場合、前記スイッチング電源が発振している状態を示す前記電源情報を生成されたとして前記正常状態であると判断し、前記出力電圧が所定値未満である場合、前記スイッチング電源が発振を停止している状態を示す前記電源情報を生成されたとして前記異常状態であると判断する、電源システム。
【請求項８】
請求項６に記載の電源システムにおいて、
前記電源制御部は、
前記電源情報生成回路を含み、
前記モード制御部は、
前記判断処理において、前記スイッチング電源が発振している状態を示す前記電源情報を前記電源制御部から入力される場合、前記正常状態であると判断し、前記スイッチング電源が発振を停止している状態を示す前記電源情報を前記電源制御部から入力される場合、前記異常状態であると判断する、電源システム。
【請求項９】
交流電源から印加される交流電圧を直流電圧に変換して出力するスイッチング電源であって、動作モードとして、発振している状態であるＯＮモードと、発振が停止している状態であるＯＦＦモードとを有するスイッチング電源と、
前記交流電源から電力を供給されることにより起動する電源制御部であって、前記スイッチング電源の前記動作モードを指定するモード指定信号を入力されるモード指定端子を有し、前記モード指定信号にしたがって前記スイッチング電源の発振動作を制御する電源制御部と、
前記モード指定信号を生成するモード制御部と、
少なくとも前記スイッチング電源が発振を停止している間に、前記モード制御部に電力を供給する補助電源と、
前記スイッチング電源の前記動作モードを示すモード情報を記憶する記憶部と、を備え、
前記電源制御部は、
前記スイッチング電源が発振している状態であるときに、前記ＯＦＦモードを指定するＯＦＦモード指定信号を前記モード指定信号として、前記モード指定端子に入力された場合、前記モード制御部にＯＦＦモード移行信号を送信する変更通知処理を実行し、
前記モード制御部は、
前記ＯＦＦモード移行信号を入力された場合、前記記憶部に前記ＯＦＦモードのモード情報を設定するＯＦＦモード設定処理を実行する、電源システム。
【請求項１０】
請求項１から請求項９のいずれか一項に記載の電源システムにおいて、
電源キーと、
前記スイッチング電源から電力を供給されるシステム制御部と、
を備え、
前記モード制御部は、
前記スイッチング電源の前記動作モードを示すモード情報を記憶する記憶部を有し、
前記電源キーが押下される際に前記電源キーから出力される押下信号を検出する押下検出処理と、
前記記憶部に前記ＯＮモードのモード情報が記憶されているときに前記押下信号を検出した場合、前記押下信号を検出したことを示す押下情報を前記システム制御部に出力する押下出力処理と、
前記システム制御部から、ＯＦＦモード設定信号を入力された場合、前記記憶部に前記ＯＦＦモードのモード情報を設定するＯＦＦモード設定処理と、
前記システム制御部からＯＮモード設定信号を入力された場合、前記記憶部に前記ＯＮモードのモード情報を設定するＯＮモード設定処理と、を実行し、
前記システム制御部は、
前記モード制御部から前記押下情報を入力された場合、前記モード制御部に前記ＯＦＦモード設定信号を出力するオフ出力処理と、
発振を開始した前記スイッチング電源から電力を供給されると、前記モード制御部に前記ＯＮモード設定信号を出力するオン出力処理と、を実行する、電源システム。
【請求項１１】
請求項１から請求項１０のいずれか一項に記載の電源システムと、
前記スイッチング電源から出力される前記直流電圧を利用して画像を形成する画像形成部と、
を備える、画像形成装置。
【発明の詳細な説明】
【技術分野】
【０００１】
本発明は電源システムおよび同システムを備えた画像形成装置に関し、詳しくは、パルス信号にしたがって電源のスイッチング電源の発振動作を制御する技術に関する。
【背景技術】
【０００２】
従来、パルス信号にしたがって電源のスイッチング電源の発振動作を制御する技術が、例えば、特許文献１に開示されている。そこでは、モード制御ブロック（電源キー制御ＩＣ）から供給される制御パルス信号にしたがってスイッチング電源の発振を制御するスイッチ制御部を備え、スイッチング電源の出力を停止させる際、制御パルス信号によって停止させる技術が開示されている。
【先行技術文献】
【特許文献】
【０００３】
【特許文献１】特開２０１２−１０５３７８号公報
【発明の概要】
【発明が解決しようとする課題】
【０００４】
電源システムの動作中等に外乱ノイズが生じると、スイッチ制御部（電源制御ＩＣ）が、外乱ノイズを、発振動作を切り替えのための制御パルス信号と勘違いし、スイッチ制御部がスイッチング電源の発振を停止させてしまう虞があった。
【０００５】
本発明は、パルス信号によってスイッチング電源の発振動作が切替わる電源システムにおいて、外乱ノイズにより不具合が発生するのを抑制する技術を提供するものである。
【課題を解決するための手段】
【０００６】
本明細書によって開示される電源システムは、交流電源から印加される交流電圧を直流電圧に変換して出力するスイッチング電源であって、動作モードとして、発振している状態であるＯＮモードと、発振が停止している状態であるＯＦＦモードとを有するスイッチング電源と、前記交流電源から電力を供給されることにより起動する電源制御部であって、前記スイッチング電源の前記動作モードを指定するモード指定信号を入力されるモード指定端子を有し、前記モード指定信号にしたがって前記スイッチング電源の発振動作を制御する電源制御部と、前記モード指定信号を生成するモード制御部と、少なくとも前記スイッチング電源が発振を停止している間に、前記モード制御部に電力を供給する補助電源と、を備え、前記モード制御部は、前記ＯＮモードおよび前記ＯＦＦモードのうち一方のモード期間中において、所定周期で連続する連続パルス信号を前記モード指定信号として、前記電源制御部の前記モード指定端子に出力する出力処理と、他方のモード期間中において、前記連続パルス信号の出力を制限する制限処理と、を実行する。
本構成によれば、パルスによってスイッチング電源の動作モードを指定する際、指定期間中において連続する連続パルス信号が使用される。そのため、例えば、ＯＦＦモードを指定する際に連続パルス信号が使用される場合において、電源システムの電源コードがコンセントに差し込まれた際の、モード指定端子へのノイズ等の影響があったとしても、そのノイズによってＯＦＦモードと指定されることが抑制される。それによって、電源システムの立ち上げ時にスイッチング電源がＯＦＦモードとされることが抑制される。
すなわち、モード指定信号として連続パルス信号を使用することによって、モード指定端子に侵入する外乱ノイズ等に対しての耐性が向上する。それによって、パルスによってスイッチング電源の発振動作が切り替わる電源システムにおいて、外乱ノイズにより不具合が発生するのを抑制することができる。
【０００７】
上記電源システムにおいて、前記電源制御部は、前記連続パルス信号の入力に応じて前記所定周期毎に計時信号を生成するタイマと、前記連続パルス信号の、前記所定周期でのパルス数を、前記計時信号に基づいてカウントするカウンタと、を含み、前記カウンタのカウント値が所定値に達した際に、前記モード指定信号を有効と判断する有効判断処理を実行するようにしてもよい。
本構成によれば、外乱ノイズによる誤動作を抑制しつつ、モードの切替えタイミングを適宜設定できる。
【０００８】
また、上記電源システムにおいて、前記モード制御部は、前記制限処理において、前記連続パルス信号の出力を停止するようにしてもよい。
本構成によれば、単に、連続パルス信号が出力される、されないの相違から、モード指定信号が生成できるため、モード指定信号の生成が容易となる。
【０００９】
また、上記電源システムにおいて、前記モード制御部は、前記スイッチング電源の前記動作モードを示すモード情報を記憶する記憶部を有し、前記出力処理において、前記記憶部に前記ＯＦＦモードのモード情報が記憶されているときに、前記ＯＦＦモードを指定する前記連続パルス信号を前記モード指定信号として前記電源制御部の前記モード指定端子に出力し、前記制限処理において、前記記憶部に前記ＯＮモードのモード情報が記憶されているときに、前記ＯＦＦモードを指定する前記連続パルス信号の前記電源制御部への出力を制限し、前記電源制御部は、前記ＯＦＦモードを指定する前記連続パルス信号を入力されない場合、前記スイッチング電源を発振させる発振処理と、前記ＯＦＦモードを指定する前記連続パルス信号を入力される場合、前記スイッチング電源の発振を停止させる発振停止処理と、を実行するようにしてもよい。
本構成によれば、連続パルス信号がＯＦＦモード指定信号として使用されることによって、パルスによってスイッチング電源の発振動作が切り替わる電源システムにおいて、外乱ノイズにより不具合が発生するのを抑制することができる。
【００１０】
また、上記電源システムにおいて、前記モード制御部は、前記スイッチング電源の前記動作モードを示すモード情報を記憶する記憶部を有し、前記制限処理において、前記記憶部に前記ＯＦＦモードのモード情報が記憶されているときに、前記ＯＮモードを指定する前記連続パルス信号の前記電源制御部への出力を制限し、前記出力処理において、前記記憶部に前記ＯＮモードのモード情報が記憶されているときに、前記ＯＮモードを指定する前記連続パルス信号を前記モード指定信号として前記電源制御部の前記モード指定端子に出力し、前記電源制御部は、前記ＯＮモードを指定する前記連続パルス信号を入力される場合、前記スイッチング電源を発振させる発振処理と、前記ＯＮモードを指定する前記連続パルス信号を入力されない場合、前記スイッチング電源の発振を停止させる発振停止処理と、を実行するようにしてもよい。
本構成によれば、連続パルス信号がＯＮモード指定信号として使用されることによって、パルスによってスイッチング電源の発振動作が切り替わる電源システムにおいて、外乱ノイズにより不具合が発生するのを抑制することができる。
【００１１】
また、本明細書によって開示される電源システムは、交流電源から印加される交流電圧を直流電圧に変換して出力するスイッチング電源であって、動作モードとして、発振している状態であるＯＮモードと、発振が停止している状態であるＯＦＦモードとを有するスイッチング電源と、前記交流電源から電力を供給されることにより起動する電源制御部であって、前記スイッチング電源の前記動作モードを指定するモード指定信号を入力されるモード指定端子を有し、前記モード指定信号にしたがって前記スイッチング電源の発振動作を制御する電源制御部と、前記モード指定信号を生成するモード制御部と、少なくとも前記スイッチング電源が発振を停止している間に、前記モード制御部に電力を供給する補助電源と、前記スイッチング電源が発振している状態であるか前記スイッチング電源が発振を停止している状態であるかを示す電源情報を生成する電源情報生成回路と、前記スイッチング電源の前記動作モードを示すモード情報を記憶する記憶部と、を備え、前記モード制御部は、前記記憶部に記憶されているモード情報が前記ＯＮモードである場合において、前記スイッチング電源が発振している状態を示す前記電源情報を生成されるときに正常状態であると判断し、前記スイッチング電源が発振を停止している状態を示す前記電源情報を生成されるときに異常状態であると判断する判断処理と、前記異常状態であると判断した場合、前記ＯＮモードを指定するＯＮモード指定信号を前記モード指定信号として前記モード指定端子に出力する異常時出力処理と、を実行する。
本構成によれば、記憶部にＯＮモードのモード情報が記憶されているときにノイズによってスイッチング電源が発振を停止されたとしても、異常時出力処理によってスイッチング電源を発振状態に復帰させることができる。
【００１２】
上記電源システムにおいて、前記モード制御部は、前記スイッチング電源の出力電圧を検出することにより前記電源情報を生成する前記電源情報生成回路を含み、前記判断処理において、前記出力電圧が所定値以上である場合、前記スイッチング電源が発振している状態を示す前記電源情報を生成されたとして前記正常状態であると判断し、前記出力電圧が所定値未満である場合、前記スイッチング電源が発振を停止している状態を示す前記電源情報を生成されたとして前記異常状態であると判断するようにしてもよい。
本構成によれば、正常状態であるか否かは、スイッチング電源の出力電圧の値をみることによって、的確に判断できる。
【００１３】
また、上記電源システムにおいて、前記電源制御部は、前記電源情報生成回路を含み、前記モード制御部は、前記判断処理において、前記スイッチング電源が発振している状態を示す前記電源情報を前記電源制御部から入力される場合、前記正常状態であると判断し、前記スイッチング電源が発振を停止している状態を示す前記電源情報を前記電源制御部から入力される場合、前記異常状態であると判断するようにしてもよい。
本構成によれば、正常状態であるか否かは、電源制御部から入力される電源情報をみることによって、的確に判断できる。
【００１４】
また、本明細書によって開示される電源システムは、交流電源から印加される交流電圧を直流電圧に変換して出力するスイッチング電源であって、動作モードとして、発振している状態であるＯＮモードと、発振が停止している状態であるＯＦＦモードとを有するスイッチング電源と、前記交流電源から電力を供給されることにより起動する電源制御部であって、前記スイッチング電源の前記動作モードを指定するモード指定信号を入力されるモード指定端子を有し、前記モード指定信号にしたがって前記スイッチング電源の発振動作を制御する電源制御部と、前記モード指定信号を生成するモード制御部と、少なくとも前記スイッチング電源が発振を停止している間に、前記モード制御部に電力を供給する補助電源と、前記スイッチング電源の前記動作モードを示すモード情報を記憶する記憶部と、を備え、前記電源制御部は、前記スイッチング電源が発振している状態であるときに、前記ＯＦＦモードを指定するＯＦＦモード指定信号を前記モード指定信号として、前記モード指定端子に入力された場合、前記モード制御部にＯＦＦモード設定信号を送信する変更通知処理を実行し、前記モード制御部は、前記ＯＦＦモード設定信号を入力された場合、前記記憶部に前記ＯＦＦモードのモード情報を設定するＯＦＦモード設定処理を実行する。
本構成によれば、モード制御部がＯＮモード時に電源制御部にノイズが入ってモードが変更され発振停止しても、異常状態を判断して記憶部にＯＦＦモードのモード情報を設定するので、動作モードと記憶部に記憶されたモード情報とを一致させることができる。
【００１５】
また、上記電源システムにおいて、電源キーと、前記スイッチング電源から電力を供給されるシステム制御部と、を備え、前記モード制御部は、前記スイッチング電源の前記動作モードを示すモード情報を記憶する記憶部を有し、前記電源キーが押下される際に前記電源キーから出力される押下信号を検出する押下検出処理と、前記記憶部に前記ＯＮモードのモード情報が記憶されているときに前記押下信号を検出した場合、前記押下信号を検出したことを示す押下情報を前記システム制御部に出力する押下出力処理と、前記システム制御部から、ＯＦＦモード設定信号を入力された場合、前記記憶部に前記ＯＦＦモードのモード情報を設定するＯＦＦモード設定処理と、前記システム制御部からＯＮモード設定信号を入力された場合、前記記憶部に前記ＯＮモードのモード情報を設定するＯＮモード設定処理と、を実行し、前記システム制御部は、前記モード制御部から前記押下情報を入力された場合、前記モード制御部に前記ＯＦＦモード設定信号を出力するオフ出力処理と、発振を開始した前記スイッチング電源から電力を供給されると、前記モード制御部に前記ＯＮモード設定信号を出力するオン出力処理と、を実行するようにしてもよい。
この構成においては、ＯＮモード設定時に、外乱ノイズにより、電源制御部のみＯＦＦモードに移行して発振が停止してしまう場合、モード制御部はＯＮモードのままシステム制御部は動作を停止する。そのため、システム制御部は押下情報を受け取れず、システム制御部からモード制御部へＯＦＦモード設定信号が出力されないため、モード制御部はＯＦＦモードと認識できないという不具合が発生する虞がある。しかしながら、本発明によれば、そのような不具合の発生を抑制できる。
【００１６】
また、本明細書によって開示される画像形成装置は、上記いずれかに記載の電源システムと、前記スイッチング電源から出力される前記直流電圧を利用して画像を形成する画像形成部と、を備える。
本構成によれば、電源システムを備える画像形成装置において、その電源システムにおいて、外乱ノイズにより不具合が発生するのを抑制することができる。それによって、画像形成装置の使用開始時に、装置が起動しないことが、抑制される。
【発明の効果】
【００１７】
本発明によれば、パルスによってスイッチング電源の発振動作が切替わる電源システムにおいて、外乱ノイズにより不具合が発生するのを抑制することができる。
【図面の簡単な説明】
【００１８】
【図１】実施形態１の画像形成装置の概略的な構成を示すブロック図
【図２】画像形成装置が備える電源システムの構成を示す回路図
【図３】制御ＩＣの概略的な構成を示すブロック図
【図４】ＡＳＩＣの制御処理を示すフローチャート
【図５】電源キー制御回路の制御処理を示すフローチャート
【図６】制御ＩＣの制御処理を示すフローチャート
【図７】各制御部の動作を示すシーケンス図
【図８】モード移行時の各信号の推移を示すタイムチャート
【図９】ＯＦＦモード中に電源をオフされた後の、電源オン時の処理に係るフローチャート
【図１０】ＯＦＦモード中に電源をオフされた後の、電源オン時の各制御部の動作を示すシーケンス図
【図１１】ＯＮモード中に電源をオフされた後の、電源オン時の処理に係るフローチャート
【図１２】ＯＮモード中に電源をオフされた後の、電源オン時の各制御部の動作を示すシーケンス図
【図１３】電源供給開始時の処理に係るタイムチャート
【図１４】実施形態２におけるモード移行時の各信号の推移を示すタイムチャート
【図１５】実施形態２における電源供給開始時の処理に係るタイムチャート
【図１６】実施形態３における電源キー制御ＩＣの処理に係るフローチャート
【図１７】実施形態３に係る各制御部の動作を示すシーケンス図
【図１８】実施形態４に係る各制御部の動作を示すシーケンス図
【発明を実施するための形態】
【００１９】
＜実施形態１＞
実施形態１について図１から図１３を参照して説明する。
【００２０】
１．プリンタの説明
図１に示されるように、画像形成装置の一例であるプリンタ１は、印刷部２、通信部３ａ、画像メモリ３ｂ、表示部４および電源システム１００を備えている。電源システム１００は、低圧電源部１０と制御部５０とから構成されている。低圧電源部１０はプリンタ１の電源となるものであり、印刷部２、通信部３ａ、画像メモリ３ｂおよび制御部５０に対して電力を供給する。なお、画像形成装置はプリンタに限られず、例えば、コピー機、スキャナー、複合機等であってもよい。
【００２１】
印刷部２は、感光ドラム２ａ、感光ドラム２ａの表面を帯電させる帯電プロセスを実行する帯電器２ｂ、感光ドラム２ａの表面に静電潜像を形成する露光プロセスを実行する露光装置２ｃ、感光ドラム２ａの表面に形成された静電潜像に現像剤を付着させて現像剤像を形成する現像プロセスを実行する現像器２ｄ、記録媒体に現像剤像を転写する転写プロセスを実行する転写器２ｅ、記録媒体上に転写された現像剤像を定着させる定着プロセスを実行する定着器２ｆ等から構成されている。
【００２２】
印刷部２は帯電プロセス、露光プロセス、現像プロセス、転写プロセス、定着プロセスを実行して、記録媒体上に印刷データを印刷する印刷処理を実行するものである。通信部３ａはＰＣ等の情報端末装置との間で通信を行うものであり、情報端末装置から印刷指示や印刷データを受信する機能を担う。画像メモリ３ｂは、情報端末装置から受信した印刷データを一時記憶するものである。
【００２３】
上記プリンタ１は、通信部３ａが情報端末装置から印刷指示を受けて印刷データを受信すると、制御部５０が、印刷部２に帯電プロセス、露光プロセス、現像プロセス、転写プロセス、定着プロセスからなる印刷処理を実行させることで、記録媒体に印刷データを印刷させる。なお、印刷部２の動作電圧は主に２４Ｖであるのに対して、通信部３ａ、画像メモリ３ｂおよび制御部５０の動作電圧は主に３．３Ｖである。
【００２４】
なお、プリンタ１は、動作モードとして、ＯＮ（オン）モードとＯＦＦ（オフ）モードとを有する。ＯＮモードとは、ＯＦＦモード中に電源キーＳＷ１（図２参照）がユーザにより押下されることによって設定される状態である。ＯＮモードは、詳細には後述するが、電源システム１００のスイッチング電源２０が動作している状態であり、レディモード、プリントモード、およびスリープモードを有する。レディモードとは、プリンタ１が印刷指示に応答して即座に印刷処理を実行できる状態である。そのため、レディモードにおいては、定着器２ｆは、詳しくは、定着器２ｆのヒータは、定着可能な温度或いは定着可能な温度よりやや低い温度に維持されるように通電制御されている。プリントモードとは、プリンタ１が印刷指示を受け、印刷部２が動作されている状態である。そのため、プリントモードにおいては、定着器２ｆのヒータは、定着可能な温度に維持されるように通電制御されている。
【００２５】
また、スリープモードとは、印刷処理を完了してから印刷指示が所定時間なくプリンタ１が待機している状態である。スリープモードでは、定着器２ｆのヒータは通電されていない。そのため、スリープモードは、プリントモードやレディモードよりも省電力である。また、ＯＦＦモードとは、ＯＮモード中に電源キーＳＷ１（図２参照）がユーザにより押下されることによって設定される状態である。ＯＦＦモードでは、定着器２ｆのヒータは通電されておらず、また、詳細には後述するが、電源システム１００のスイッチング電源２０が停止しているため、ＯＦＦモードは、スリープモードよりも省電力である。
【００２６】
２．電源システムの構成
図２を参照して電源システム１００の構成について説明する。電源システム１００は低圧電源部１０および制御部５０を含み、低圧電源部１０は、スイッチング電源２０および小容量電源３０を含む。
【００２７】
２−１．低圧電源部の構成
まず、スイッチング電源２０および小容量電源３０を含む低圧電源部１０の構成について、図２を参照しながら説明する。
２−１−１．スイッチング電源の構成
スイッチング電源２０は、整流平滑回路２１、電源制御ＩＣ２２、電圧発生回路２３、トランス２４、ＦＥＴ（電界効果トランジスタ）Ｑ１、整流平滑回路２５、電圧検出回路２６、およびＤＣ−ＤＣコンバータ２７、２８を含む。スイッチング電源２０は、動作モードとして、トランス２４の一次側が発振している状態であるＯＮモードと、発振が停止している状態であるＯＦＦモードとを有する。
ここで、スイッチング電源２０のＯＮモードにおいては、トランス２４の一次側が発振して、スイッチング電源２０が出力している状態にある。レディモードおよびプリントモードにおいては、ＤＣ２４Ｖ、ＤＣ５ＶおよびＤＣ３．３Ｖが出力され、スリープモードにおいては、ＤＣ５ＶおよびＤＣ３．３Ｖが出力される。
一方、ＯＦＦモードにおいては、トランス２４の発振が停止してスイッチング電源２０の出力が停止している状態にある。
【００２８】
スイッチング電源２０は、交流電源ＡＣの交流電圧Ｖａｃを整流平滑化する。ＯＮモードにおいて、プリンタ１がレディモードまたはプリントモードの場合、＋２４Ｖ、＋５Ｖおよび＋３．３Ｖの直流電圧を生成し、プリンタ１がスリープモードの場合、＋２４Ｖに変えて、＋６Ｖを出力し、＋５Ｖおよび＋３．３Ｖの直流電圧を生成する。＋２４Ｖおよび＋６Ｖの直流電圧（以下「ＤＣ２４Ｖ」、「ＤＣ６Ｖ」と記す）は第１出力端子ＯＵＴ１から出力され、＋５Ｖの直流電圧（以下「ＤＣ５Ｖ」と記す）は第２出力端子ＯＵＴ２から出力され、＋３．３Ｖの直流電圧（以下「ＤＣ３．３Ｖ」と記す）は第３出力端子ＯＵＴ３から出力される。一方、ＯＦＦモードでは、直流電圧は出力されない。
【００２９】
整流平滑回路２１は、交流電源ＡＣの交流電圧（例えば、２４０Ｖ）Ｖａｃを整流するブリッジダイオードおよび整流後の電圧を平滑化するコンデンサを含む。整流平滑回路２１の出力は、トランス２４の一次コイルに印加される。
【００３０】
トランジスタＱ１はＮチャンネルのＭＯＳＦＥＴであり、電源制御ＩＣ２２の出力端子ＯＵＴからゲートにオン／オフ信号（ＰＷＭ信号）が与えられることにより、オン／オフ動作する。これにより、トランス２４の一次側が発振して、トランス２４の二次コイルに電圧を誘起させる。
【００３１】
また、トランス２４の一次側には電圧発生回路２３が設けられている。電圧発生回路２３は、トランス２４の一次側に設けられた補助コイルに誘起される電圧を整流平滑化して、電源制御ＩＣ２２用の電源電圧Ｖｃｃを生成する。
【００３２】
整流平滑回路２５はトランス２４の二次コイルに誘起された電圧を整流平滑化してＤＣ２４Ｖを生成する。
【００３３】
電圧検出回路２６は、フォトカプラＰＣ１を含み、スイッチング電源２０のＤＣ２４Ｖ出力の検出レベルに応じて、フォトカプラＰＣ１の発光ダイオードＬＥＤ１を発光させる。フォトカプラＰＣ１は、電源制御ＩＣ２２のフィードバック端子ＦＢに接続されたフォトトランジスタＰＴ１を含む。そのため、発光ダイオードＬＥＤ１の光信号はフォトトランジスタＰＴ１にて電気信号に戻され、ＤＣ２４Ｖ出力の検出値が電源制御ＩＣ２２のフィードバック端子ＦＢにフィードバックされる。
【００３４】
ＤＣ−ＤＣコンバータ２７は、ＤＣ２４ＶをＤＣ５Ｖに変換して出力し、ＤＣ−ＤＣコンバータ２８は、ＤＣ２４ＶをＤＣ３．３Ｖに変換して出力する。
【００３５】
電源制御ＩＣ（「電源制御部」の一例）２２は、図２および図３に示されるように、タイマ２２Ａ、カウンタ２２Ｂ、駆動制御部２２Ｃ、および電源切替部２２Ｄ等を含む。電源制御ＩＣ２２は、交流電源ＡＣから電力を供給されることにより起動し、後述する電源キー制御ＩＣ７０からイネーブル端子（「モード指定端子」の一例）ＥＮに入力される、ＯＮモードを指定するＯＮモード信号（「モード指定信号」および「ＯＮモード指定信号」の一例）Ｍｏｎおよび、ＯＦＦモードを指定するＯＦＦモード信号（「モード指定信号」および「ＯＦＦモード指定信号」の一例）Ｍｏｆｆにしたがってスイッチング電源２０の発振動作を制御する。すなわち、電源制御ＩＣ２２は、ＯＮモード信号Ｍｏｎが入力された場合、スイッチング電源２０を発振させ、ＯＦＦモード信号Ｍｏｆｆが入力された場合、スイッチング電源２０の発振を停止させる。
【００３６】
なお、本実施形態では、ＯＦＦモード信号Ｍｏｆｆは、所定周期で連続する連続パルス信号として生成される。また、ＯＮモード信号Ｍｏｎは、連続パルス信号が制限された信号として、本実施形態では連続パルス信号が停止された信号、すなわち、ローレベルで一定の信号として生成される（図８参照）。
【００３７】
タイマ（「タイマ」の一例）２２Ａは、イネーブル端子ＥＮに接続され、連続パルス信号であるＯＦＦモード信号Ｍｏｆｆの入力に応じて、パルス信号とパルス信号との間隔を計時し、計時毎に計時信号Ｓｔｍを生成し、計時信号Ｓｔｍをカウンタ２２Ｂに供給する。また、タイマ２２Ａは、イネーブル端子ＥＮのローレベル期間を計時し、ローレベル期間が所定時間に達した場合、ＯＮモード信号Ｍｏｎの入力を示すオン計時信号Ｓｋｏｎを生成し、オン計時信号Ｓｋｏｎを駆動制御部２２Ｃに供給する。
【００３８】
ここで、計時信号Ｓｔｍは、極めて短期間ハイレベルとなるパルス信号がイネーブル端子ＥＮに入力されてから所定周期が経過した際に再びパルス信号がイネーブル端子ＥＮに入力されると、生成される。オン計時信号Ｓｋｏｎは、ローレベルの信号がイネーブル端子ＥＮに入力されてからＯＮモード信号確認期間Ｋｏｎが経過するまでローレベルの信号が継続した際に、生成される。すなわち、タイマ２２Ａはローレベルの信号が継続するＯＮモード信号確認期間Ｋｏｎを計時する（図８等参照）。ＯＮモード信号確認期間Ｋｏｎは、イネーブル端子ＥＮに入力された信号がＯＮモード信号Ｍｏｎであることを確認するためのものである。ＯＮモード信号確認期間Ｋｏｎは、ＯＦＦモード信号Ｍｏｆｆのパルス周期よりも長い。
【００３９】
カウンタ（「カウンタ」の一例）２２Ｂは、所定周期でイネーブル端子ＥＮに入力されるパルス信号の数を、計時信号Ｓｔｍに基づいてカウントし、カウント数が所定数に達した場合、カウント信号Ｓｃｔを生成し、カウント信号Ｓｃｔを駆動制御部２２Ｃに供給する。詳細には、ここでは、カウンタ２２Ｂは、パルス信号の数をカウントする際、パルス信号の立ち上がりをカウントする。ここで、カウント信号Ｓｃｔが生成されるタイミングは、カウント開始時刻からＯＦＦモード信号確認期間Ｋｏｆｆが経過した時刻と等しい（図８等参照）。ＯＦＦモード信号確認期間Ｋｏｆｆは、イネーブル端子ＥＮに入力された信号がＯＦＦモード信号Ｍｏｆｆであることを確認するためのものである。
【００４０】
なお、タイマ２２Ａおよびカウンタ２２Ｂを、個別の構成とせず、タイマカウンタとして、一個の構成としてもよい。あるいは、駆動制御部２２Ｃがタイマおよびカウンタを有してもよい。
【００４１】
駆動制御部２２Ｃは、タイマ２２Ａ、カウンタ２２Ｂ、フィードバック端子ＦＢ、および出力端子ＯＵＴに接続され、入力される信号に応じて、ＦＥＴ（Ｑ１）のゲートＧに対してオン／オフ信号（ＰＷＭ信号）を出力することにより、ＦＥＴをスイッチング制御する。
【００４２】
具体的には、タイマ２２Ａから入力されるオン計時信号Ｓｋｏｎに応じて、ＦＥＴのゲートＧに対してＰＷＭ信号を出力することにより、スイッチング電源２０を発振させることによりＯＮモードに設定する。また、カウンタ２２Ｂから入力されるカウント信号Ｓｃｔに応じて、ＦＥＴのゲートＧに対してＰＷＭ信号の出力を停止することにより、スイッチング電源２０の発振を停止させＯＦＦモードにする。また、フィードバック端子ＦＢに入力されたフィードバック信号Ｓｆｂに基づいてＰＷＭ信号のＰＷＭ値を決定し、決定されたＰＷＭ値に基づいてＦＥＴをＰＷＭ制御する。
【００４３】
電源切替部２２Ｄは、電源制御ＩＣ２２内の電源を、高電圧入力端子ＶＨからの電源と電源端子ＶＣＣからの電源とで切替える。すなわち、電源端子ＶＣＣからの電圧が所定のレベル、例えば、ＤＣ５Ｖまで上昇するまでは高電圧入力端子ＶＨからの電源とし、電源端子ＶＣＣからの電圧が所定のレベルまで上昇した後は、電源端子ＶＣＣからの電源に切り替える。
【００４４】
２−１−２．小容量電源の構成
小容量電源（「補助電源」の一例）３０は、スイッチング電源２０よりも少ない電源容量を有し、スイッチング電源２０の動作モードにかかわらず電源キー制御ＩＣ７０およびモード信号伝送部５３に電力を供給する。
【００４５】
小容量電源３０は、第１コンデンサＣ１、第２コンデンサＣ２、整流回路３１、平滑回路３２、ＤＣ−ＤＣコンバータ３３、および蓄電用コンデンサＣ４を含む。すなわち、小容量電源３０は、第１コンデンサＣ１および第２コンデンサＣ２を含む、コンデンサ絶縁型の小容量電源である。
【００４６】
第１コンデンサＣ１は、交流電源ＡＣの一端と整流回路３１との間に接続され、第２コンデンサＣ２は、交流電源ＡＣの他端と整流回路３１との間に接続される。
【００４７】
整流回路３１は、４個のダイオードＤ１−Ｄ４からなるブリッジ回路によって構成される。ダイオードＤ１のアノードは、コンデンサＣ１に接続され、ダイオードＤ２のアノードは、第２コンデンサＣ２に接続される。
【００４８】
また、ダイオードＤ３のカソードは、第１コンデンサＣ１に接続され、ダイオードＤ４のカソードは、第２コンデンサＣ２に接続される。ダイオードＤ３とダイオードＤ４の接続点は基準電位Ｖｇｄ（０Ｖ）とされる。なお、基準電位Ｖｇｄは接地レベルとされてもよい。すなわち、上記接続点はＦＧ（フレーム接地）されてもよい。
【００４９】
平滑回路３２は、整流回路３１に電気的に接続され、整流された交流電圧を平滑して、出力電圧である平滑電圧ＶＤＤを生成する。平滑回路３２は、平滑蓄電コンデンサＣ３および、ツェナーダイオードＺＤ１を含む。
【００５０】
平滑蓄電コンデンサＣ３は、ダイオードＤ５を介してスイッチング電源２０の＋５Ｖの出力端子ＯＵＴ２に電気的に接続される。そのため、プリンタ１の電源投入時には、スイッチング電源２０の＋５Ｖ直流電圧によって平滑蓄電コンデンサＣ３および蓄電用コンデンサＣ４に短時間で充電することが可能となる。
【００５１】
また、ツェナーダイオードＺＤ１は、交流電源ＡＣの交流電圧Ｖａｃが上昇した場合に、平滑電圧ＶＤＤの上昇を抑制するためのものである。ツェナーダイオードＺＤ１のツェナー電圧は、例えば、６．２Ｖとされる。ＤＣ−ＤＣコンバータ３３は、入力電圧をＤＣ３．３Ｖに変換して出力する。
【００５２】
２−２．制御部の構成
制御部５０は、図１および図２に示されるように、ＡＳＩＣ（特定用途向けＩＣ）６０、電源キー制御ＩＣ７０、ＲＯＭ５１、ＲＡＭ５２、およびモード信号伝送部５３を含む。
【００５３】
ＡＳＩＣ（「システム制御部」の一例）６０は、電源システム１００の全体を制御するとともに、プリンタ１の印刷部２を制御する。ＡＳＩＣ６０は、スイッチング電源２０のＯＮモード中にＤＣ−ＤＣコンバータ２８からＤＣ３．３Ｖを受け取る。したがって、スイッチング電源２０のＯＦＦモード中は、電源が供給されずＡＳＩＣ６０は動作を停止する。また、ＡＳＩＣ６０は、電源キー制御ＩＣ７０に対して、後述するＯＮモード設定信号ＳＳｏｎやＯＦＦモード設定信号ＳＳｏｆｆを出力する。
【００５４】
電源キー制御ＩＣ７０（「モード制御部」の一例）は、電源キーであるパネルスイッチＳＷ１の動作に応じて、ＯＮモード信号Ｍｏｎ、あるいはＯＦＦモード信号Ｍｏｆｆを生成し、モード信号伝送部５３を介して、電源制御ＩＣ２２に出力する（「出力処理」の一例）。すなわち、電源キー制御ＩＣ７０は、電源制御ＩＣ２２に対してＯＮモード信号Ｍｏｎ、あるいはＯＦＦモード信号Ｍｏｆｆを出力することにより、スイッチング電源２０の動作モードを、ＯＮモードとＯＦＦモードとに切替える機能を有する。
【００５５】
すなわち、電源キー制御ＩＣ７０は、電源制御ＩＣ２２に対してＯＮモード信号Ｍｏｎを出力することによって、電源制御ＩＣ２２によってスイッチング電源２０を発振させてＯＮモードとする。また、電源キー制御ＩＣ７０は、電源制御ＩＣ２２に対してＯＦＦモード信号Ｍｏｆｆを出力することによって、電源制御ＩＣ２２によってスイッチング電源２０の発振を停止させてＯＦＦモードとする。なお、本実施形態では、上記したように、ＯＮモード信号ＭｏｎはローレベルがＯＮモード信号確認期間Ｋｏｎ以上継続する信号とされ、ＯＦＦモード信号Ｍｏｆｆは所定周期のパルス信号がＯＦＦモード信号確認数Ｎｏｆｆ以上連続する連続パルス信号とされる。
【００５６】
電源キー制御ＩＣ７０の上記機能を実行するために、電源キー制御ＩＣ７０のポートＰ１は、小容量電源３０に接続されており、スイッチング電源２０の動作モードにかかわらず小容量電源３０から、電源キー制御ＩＣ７０に電力供給される。
【００５７】
モード信号伝送部５３は、フォトカプラＰＣ２の発光ダイオードＬＥＤ２およびトランジスタＱ２を含む。発光ダイオードＬＥＤ２のアノードは、小容量電源３０の電源ラインＬｄｃに接続されている。
【００５８】
発光ダイオードＬＥＤ２は、スイッチング電源２０の電源制御ＩＣ２２のオン入力端子ＯＮに接続されたフォトトランジスタＰＴ２と共に、フォトカプラＰＣ２を構成している。そのため、電源キー制御ＩＣ７０のポートＰ３からトランジスタＱ２のベースに、例えば、ＯＮモード信号Ｍｏｎが出力されると、ＯＮモード信号Ｍｏｎは、フォトカプラＰＣ２を介して光伝送され、電源制御ＩＣ２２のＯＮ入力端子ＯＮに入力される。
【００５９】
また、ユーザは、表示部４に含まれる電源キーＳＷ１によって、ポートＰ２を介して電源キー制御ＩＣ７０にスイッチング電源２０のモードの切替を指示することができる。すなわち、電源キーＳＷ１が押下されると、電源キーＳＷ１は押下信号Ｓｐｒを生成し、押下信号ＳｐｒをポートＰ２に供給する。
【００６０】
また、電源キー制御ＩＣ７０は、スイッチング電源２０のＯＮモードおよびＯＦＦモードのうちいずれのモードであるかのモード情報を記憶するＥＥＰＲＯＭ（「記憶部」の一例）７１を有する。
【００６１】
また、電源キー制御ＩＣ７０は、電圧検出回路（「電源情報生成回路」の一例）７２を有する。電圧検出回路７２は、ポートＰ４に供給される、ＤＣ−ＤＣコンバータ２８からＤＣ３．３Ｖ（ＯＵＴ３）の電圧値を検出する。ここで、ＤＣ３．３Ｖ（ＯＵＴ３）の電圧値は、スイッチング電源２０が発振している状態であるか、スイッチング電源２０が発振を停止している状態であるかを示す電源情報の一例である。すなわち、電圧検出回路７２は、スイッチング電源２０の出力電圧（ＤＣ３．３Ｖ）を検出することにより電源情報を生成する。なお、電圧検出回路７２は、電源キー制御ＩＣ７０内に設けられず、電源キー制御ＩＣ７０の外部に設けられてもよい。その場合、電圧検出回路７２からＤＣ３．３Ｖ（ＯＵＴ３）の電圧値を電源キー制御ＩＣ７０に出力する。
【００６２】
３．スイッチング電源の動作モードと各制御の動作
次に、図４から図８を参照して、スイッチング電源２０のモード設定に係る、ＡＳＩＣ６０、電源キー制御ＩＣ７０、および電源制御ＩＣ２２の動作を説明する。なお、図７に示されるステップ番号Ｓは、図４から図６のステップ番号に対応する。
【００６３】
３−１．ＡＳＩＣ
まず、図４および図７を参照してＡＳＩＣ６０の動作について説明する。図４および図７に示されるように、例えば、低圧電源部１０のＡＣプラグがＡＣコンセントに挿入されて、スイッチング電源２０が立ち上がり、スイッチング電源２０からＤＣ３．３Ｖが供給されると、ＡＳＩＣ６０は、動作を開始し、初期化動作を行う（ステップＳ１０）。初期化動作では、例えば、ＡＳＩＣ６０内の各ブロックのリセット解除を行い、ＡＳＩＣ６０内のＣＰＵを動作させる。
【００６４】
次いで、ＡＳＩＣ６０は、現在、ＯＦＦモード設定であり、かつ、電源キーＳＷ１は押下されていないかを判定する（ステップＳ１５）。この判定の際に、ＡＳＩＣ６０は、ＥＥＰＲＯＭ７１に設定されたモード情報、および電源キー制御ＩＣ７０からの押下情報（図５参照）を参照して行う。ＯＦＦモード設定であり、かつ、電源キーＳＷ１は押下されていないと判定した場合（ステップＳ１５：ＹＥＳ）、電源キー制御ＩＣ７０にＯＦＦモード設定信号ＳＳｏｆｆを出力する（ステップＳ４０）。すなわち、この場合は、ＯＦＦモード中にＡＣプラグがコンセントから抜かれ、さらにＡＣプラグがコンセントに挿入され、ＡＳＩＣ６０に電源が供給された場合に相当する。
【００６５】
一方、ステップＳ１５において否定的な判定をした場合、すなわち、現在、ＯＮモード設定であり、かつ、電源キーＳＷ１が押下された場合、あるいは、現在、ＯＮモード設定、または、電源キーＳＷ１が押下された場合、電源キー制御ＩＣ７０にＯＮモード設定信号ＳＳｏｎを出力する（ステップＳ２０：「オン出力処理」の一例）。次いで、スイッチング電源２０のＯＮモード中において、電源キー制御ＩＣ７０から、電源キーＳＷ１の押下に係る押下情報が入力されたか否かを判定する（ステップＳ３０）。押下情報が入力されない場合（ステップＳ３０：ＮＯ）、押下情報が入力されるまで待機する。
【００６６】
一方、押下情報が入力された場合（ステップＳ３０：ＹＥＳ）、電源キー制御ＩＣ７０にＯＦＦモード設定信号ＳＳｏｆｆを出力する（ステップＳ４０：「オフ出力処理」の一例）。それに応じて、スイッチング電源２０はＯＦＦモードとされ、ＡＳＩＣ６０への電力供給は停止され、ＡＳＩＣ６０は動作を停止する。なお、モードを変更するために、スイッチング電源２０のＯＦＦモード中に電源キーＳＷ１が押下された場合、ステップＳ１０からステップＳ４０までの動作を繰り返す。
【００６７】
３−２．電源キー制御ＩＣ
次に、図５および図７を参照して電源キー制御ＩＣ７０の動作について説明する。図５および図７に示されるように例えば、低圧電源部１０のＡＣプラグがＡＣコンセントに挿入されて、小容量電源３０が立ち上がり、電源キー制御ＩＣ７０に電力が供給されると、電源キー制御ＩＣ７０は、図９や図１１等を参照して後述する、ＡＣコンセントにＡＣプラグが挿入された時のモード設定処理を実行する（ステップＳ１０５）。次いで、電源キーＳＷ１が押下されたか否かを判定する（ステップＳ１１０）。電源キー制御ＩＣ７０は、この判定を、電源キーＳＷ１が押下される際に電源キーから出力される押下信号Ｓｐｒを検出することによって行う（「押下検出処理」の一例）。
【００６８】
電源キーＳＷ１が押下されていない場合（ステップＳ１１０：ＮＯ）、押下されるまで待機する（図８の時刻ｔ１までの期間を参照）。一方、電源キーＳＷ１が押下された場合（ステップＳ１１０：ＹＥＳ、図８の時刻ｔ１参照）、電源キー制御ＩＣ７０は、ＥＥＰＲＯＭ７１に設定されているモード情報がＯＮモードの設定か否かを判定する（ステップＳ１１５）。ＥＥＰＲＯＭ７１に設定されているモード情報がＯＮモードの設定であると判定した場合（ステップＳ１１５：ＹＥＳ）、押下信号Ｓｐｒを検出したことを示す押下情報をＡＳＩＣ６０に出力する（ステップＳ１２０：「押下出力処理」の一例）。
【００６９】
次いで、電源キー制御ＩＣ７０は、押下信号Ｓｐｒに応じてＡＳＩＣ６０からＯＦＦモード設定信号ＳＳｏｆｆを入力したか否かを判定する（ステップＳ１２５）。ＯＦＦモード設定信号ＳＳｏｆｆを入力していない場合（ステップＳ１２５：ＮＯ）、ＯＦＦモード設定信号ＳＳｏｆｆを入力するまで待機する。一方、ＯＦＦモード設定信号ＳＳｏｆｆを入力した場合（ステップＳ１２５：ＹＥＳ）、ＥＥＰＲＯＭ７１に「ＯＦＦモード」のモード情報を設定する（ステップＳ１３０：「ＯＦＦモード設定処理」の一例）。そして、電源キー制御ＩＣ７０は、スイッチング電源２０をＯＦＦモードにすべきとして、電源制御ＩＣ２２にＯＦＦモード信号Ｍｏｆｆを送信し（ステップＳ１３５：「出力処理」の一例）、ステップＳ１１０の処理に戻る（時刻ｔ２参照）。
【００７０】
一方、ステップＳ１１５において、ＥＥＰＲＯＭ７１に設定されているモード情報がオンＯＮモードの設定でない、すなわち、ＯＦＦモードの設定であると判定した場合（ステップＳ１１５：ＮＯ）、スイッチング電源２０をＯＮモードにすべきとして、電源制御ＩＣ２２にＯＮモード信号Ｍｏｎを送信する（ステップＳ１５０：「出力処理」および「制限処理」の一例、時刻ｔ２参照）。次いで、電源キー制御ＩＣ７０は、ＡＳＩＣ６０からＯＮモード設定信号ＳＳｏｎを入力したか否かを判定する（ステップＳ１５５）。ＯＮモード設定信号ＳＳｏｎを入力していない場合（ステップＳ１５５：ＮＯ）、ＯＮモード設定信号ＳＳｏｎを入力するまで待機する。一方、ＯＮモード設定信号ＳＳｏｎを入力した場合（ステップＳ１５５：ＹＥＳ）、ＥＥＰＲＯＭ７１に「ＯＮモード」のモード情報を設定し（ステップＳ１６０：「ＯＮモード設定処理」の一例）、ステップＳ１１０の処理に戻る。
【００７１】
３−３．電源制御ＩＣ
次に、図６および図７を参照して電源キー制御ＩＣ７０の動作について説明する。図６および図７に示されるように、電源制御ＩＣ２２は、例えば、低圧電源部１０のＡＣプラグがＡＣコンセントに挿入されて、交流電源ＡＣから電力を供給され起動し、小容量電源３０が立ち上がる。それによって、電源キー制御ＩＣが動作を開始し、電源キー制御ＩＣからＯＮモード信号Ｍｏｎが入力されると、スイッチング電源２０をＯＮモードにするため、出力端子ＯＵＴからＰＷＭ信号を出力する（ステップＳ２０５）。そして、スイッチング電源２０の発振制御を開始し、ＡＳＩＣ６０に電力が供給される（ステップＳ２１０：「発振処理」の一例）。これにより、ＡＳＩＣ６０は動作を開始する（図８の時刻ｔ３参照）。
【００７２】
次いで、電源制御ＩＣ２２は、電源キーＳＷ１が押下され、電源キー制御ＩＣからＯＦＦモード信号Ｍｏｆｆが入力された否かを判定する（ステップＳ２２０）。ＯＦＦモード信号Ｍｏｆｆが入力されていない場合（ステップＳ２２０：ＮＯ）、ＯＦＦモード信号Ｍｏｆｆが入力するまで待機する。一方、ＯＦＦモード信号Ｍｏｆｆが入力された場合（ステップＳ２２０：ＹＥＳ）、ＯＦＦモード信号確認期間Ｋｏｆｆが経過すると（図８の時刻ｔ４参照）、スイッチング電源２０をＯＦＦモードにするため、出力端子ＯＵＴからＰＷＭ信号を出力するのを停止する（ステップＳ２３０）。そして、スイッチング電源２０の発振制御を停止する。これにより、ＡＳＩＣ６０への電力の供給が停止する（ステップＳ２４０：「発振停止処理」の一例：時刻ｔ５参照）。
【００７３】
次いで、電源制御ＩＣ２２は、ＯＦＦモード中において電源キーＳＷ１が押下され、電源キー制御ＩＣ７０からＯＮモード信号Ｍｏｎが入力された否かを判定する（ステップＳ２５０）。ＯＮモード信号Ｍｏｎが入力されていない場合（ステップＳ２５０：ＮＯ）、ＯＮモード信号Ｍｏｎが入力するまで待機する。一方、ＯＮモード信号Ｍｏｎが入力された場合（ステップＳ２５０：ＹＥＳ）、ステップＳ２０５の処理に戻る。
【００７４】
上記のように、本実施形態では、スイッチング電源２０のＯＦＦモードを指定するＯＦＦモード信号Ｍｏｆｆとして、所定周期Ｋ１で連続するパルス信号が使用され、ＯＮモードを指定するＯＮモード信号Ｍｏｎとして、ローレベルで一定の信号（ＯＦＦモード信号Ｍｏｆｆが制限された信号）が使用される。そのため、図８に示されるように、ＯＮモード中にイネーブル（モード指定端子）ＥＮへの外乱ノイズ等が侵入した場合であっても、その外乱ノイズによってＯＦＦモードと指定されることが抑制される。また、図８に示されるように、ＯＦＦモード中にイネーブルＥＮへの外乱ノイズ等が侵入した場合であっても、その外乱ノイズによってＯＦＦモードへの影響は抑制される。
【００７５】
また、仮に、ＯＮモード中にイネーブルＥＮへの外乱ノイズ等が侵入してＯＦＦモードとされた場合であっても、図７に示さるように、電源キー制御ＩＣ７０がＯＦＦモード信号Ｍｏｆｆの停止を維持すること、言い換えれば、この場合、ＯＮモード信号Ｍｏｎの送信を維持することによって、ＯＮモードに復帰させ、ＡＳＩＣ６０の動作を再開することができる。
【００７６】
４．電源オン時の各制御部の動作
次に、図９から図１３を参照して、プリンタ１の電源オン時の各制御部の動作、すなわち、図５で示されるステップＳ１０５における、ＡＣコンセントにＡＣプラグが挿入された時のモード設定処理を詳細に説明する。ここで、電源オンとは、ＡＣプラグがＡＣコンセントに挿入されること、すなわち、プリンタ１への交流電源の投入を意味する。
【００７７】
４−１．ＯＦＦモードで電源オフされた場合
まず、図９、図１０および図１３を参照して、前回の電源オフがＯＦＦモードでなされた場合の、すなわち、ＥＥＰＲＯＭ７１の設定がＯＦＦモードである場合の、電源オン時の各制御部の動作について説明する。ここで、電源オフとは、ＡＣプラグがＡＣコンセントから抜かれることを意味する。なお、図１０に示されるステップ番号Ｓは、図９のステップ番号に対応し、また、時刻記号ｔは、図１３の時刻表示に対応する。
【００７８】
今、図１３の時刻ｔ１１において、ＡＣプラグがＡＣコンセントに挿入され、プリンタ１の電源がオンされたとする。すると、電源キー制御ＩＣ７０は電源制御ＩＣ２２に、ＯＮモード信号Ｍｏｎ、すなわち、連続パルス信号であるＯＦＦモード信号Ｍｏｆｆを停止した、ローレベルで一定の信号を送信する（ステップＳ３１０）。
【００７９】
なお、ＡＣプラグがＡＣコンセントに挿入された際、すなわち、電源オン時のスイッチング電源２０のＯＮモード移行は、ＯＮモード信号Ｍｏｎによってなされることには限られない。例えば、高電圧入力端子ＶＨに接続され、交流電源ＡＣから電源システム１００に電力の供給が開始されたことを検出する電源検出部を、電源制御ＩＣ２２に設け、電源検出部の電源検知に基づいて行うようにしてもよい。
【００８０】
ＯＮモード信号Ｍｏｎを受け取ってから所定のＯＮモード信号確認期間Ｋｏｎが経過すると、電源制御ＩＣ２２は、スイッチング電源２０の発振を開始し、ＡＳＩＣ６０への電力供給を開始する（ステップＳ３２０：時刻ｔ１２参照）。その際、電源制御ＩＣ２２は、スイッチング電源２０をＯＮモードにするため、出力端子ＯＵＴからＰＷＭ信号を出力する。それによって、スイッチング電源２０の発振制御を開始し、ＡＳＩＣ６０に電力が供給される。これにより、ＡＳＩＣ６０は動作を開始、初期化動作を行う。
【００８１】
すると、ＡＳＩＣ６０は、前回ＯＦＦモード中に電源をオフされたことを、ＥＥＰＲＯＭ７１に設定されているモード情報がＯＦＦモードであることから判断して、電源オフ時のモードであったＯＦＦモードに移行するために、電源キー制御ＩＣ７０にＯＦＦモード設定信号ＳＳｏｆｆを出力する（ステップＳ３３０）。すると、電源キー制御ＩＣ７０は、連続パルス信号であるＯＦＦモード信号Ｍｏｆｆをモード指定端子ＮＥに送信する（ステップＳ３４０：時刻ｔ１３参照）。
【００８２】
次いで、電源制御ＩＣ２２、具体的には、駆動制御部２２Ｃは、所定周期Ｋ１の所定パルス数（ここでは、４個）をカウントが完了したことを示すカウント信号Ｓｃｔを受け取ったか否かを判定する（ステップＳ３５０：「有効判断処理の一例」）。カウント信号Ｓｃｔを受け取っていないと判定した場合（ステップＳ３５０：ＮＯ）、カウント信号Ｓｃｔを受け取るまで待機する。一方、カウント信号Ｓｃｔを受け取ったと判定した場合（ステップＳ３５０：ＹＥＳ）、ＯＦＦモード信号Ｍｏｆｆは有効であると判断し、電源制御ＩＣ２２は、モードをＯＮモードからＯＦＦモードへ移行し（ステップＳ３６０：時刻ｔ１４参照）、スイッチング電源２０の発振を停止させ、ＡＳＩＣ６０への電源供給を停止する（ステップＳ３６０：「発振停止処理」の一例）。これによって、今回電源オン時のスイッチング電源２０のモードは、前回電源オフ時のモードであるＯＦＦモードに復元される（ステップＳ３７０：時刻ｔ１５参照）。
【００８３】
上記のように、電源オン時にモード指定端子ＮＥにはローレベルで一定のＯＮモード信号Ｍｏｎが供給され、ＯＦＦモードに移行する際、連続パルス信号であるＯＦＦモード信号Ｍｏｆｆに係るカウント信号Ｓｃｔに基づいて、行われる。そのため、電源オン時にモード指定端子ＮＥにノイズが侵入しても、ＯＦＦモード信号Ｍｏｆｆと誤認識されることが抑制され、前回電源オフ時のモードへの復帰の信頼性が向上する。
【００８４】
４−２．ＯＮモードで電源オフされた場合
次に、図１１から図１３を参照して、前回の電源オフがＯＮモードでなされた場合の、すなわち、ＥＥＰＲＯＭ７１の設定がＯＮモードである場合の、電源オン時のモード設定処理について説明する。なお、図９と同一の処理に対しては同一のステップ番号を付し、その説明を省略する。また、図１２に示されるステップ番号Ｓは、図１１のステップ番号に対応し、時刻記号ｔは、図１３の時刻表示に対応する。また、ＯＦＦモードで電源オフされた場合とは、実際の時刻は異なるが、図１３では、説明の便宜上、同一の時刻表示とする。
【００８５】
電源制御ＩＣ２２が、ＯＮモード信号Ｍｏｎにしたがってスイッチング電源２０の発振を開始し、ＡＳＩＣ６０への電力供給を開始すると（ステップＳ３２０：時刻ｔ１２参照）、ＡＳＩＣ６０は、前回ＯＮモード中に電源をオフされたことを、ＥＥＰＲＯＭ７１に設定されているモード情報がＯＮモードであることから判断して、電源オフ時のモードであったＯＮモードを維持する（ステップＳ４１０）。
【００８６】
ＡＳＩＣ６０は、ＯＮモードを維持するために、電源キー制御ＩＣ７０にＯＮモード設定信号ＳＳｏｎを出力する（ステップＳ４２０）。すると、電源キー制御ＩＣ７０は、ローレベルで一定のＯＮモード信号Ｍｏｎの電源制御ＩＣ２２への送信を維持する（ステップＳ４３０）。
【００８７】
これによって、今回電源オン時のスイッチング電源２０のモードは、前回電源オフ時のモードであるＯＮモードに復元される（ステップＳ４４０：時刻ｔ１２参照）。
【００８８】
この場合においても、電源オン時にモード指定端子ＮＥにはローレベルで一定のＯＮモード信号Ｍｏｎが供給されため、電源オン時にモード指定端子ＮＥにノイズが侵入しても、ＯＦＦモード信号Ｍｏｆｆと誤認識されることが抑制され、前回電源オフ時のモードへの復帰の信頼性が向上する。
【００８９】
５．実施形態１の効果
ＯＦＦモードを指定するＯＦＦモード信号Ｍｏｆｆによってスイッチング電源２０の動作モードをＯＦＦモードに指定する際、ＯＦＦモード指定期間中において連続する連続パルス信号が使用される。そのため、電源システム１００の電源コードがコンセントに差し込まれた際に、イネーブル（モード指定端子）ＥＮへの外乱ノイズ等が侵入した場合であっても、その外乱ノイズによってＯＦＦモードと指定されることが抑制される。それによって、電源システムの立ち上げ時にスイッチング電源がＯＦＦモードとされることが抑制される。
【００９０】
すなわち、ＯＦＦモード信号Ｍｏｆｆ（モード指定信号）として連続パルス信号を使用することによって、イネーブルＥＮモードに侵入する外乱ノイズ等に対しての耐性が向上する。それによって、パルスによってスイッチング電源２０の発振動作が切り替わる電源システム１００において、外乱ノイズにより不具合が発生するのを抑制することができる。
【００９１】
＜実施形態２＞
次に、実施形態２について図１４および図１５を参照して説明する。実施形態２は、実施形態１とは、ＯＮモード信号ＭｏｎとＯＦＦモード信号Ｍｏｆｆとの波形が逆である点が、異なる。すなわち、実施形態２では、図１４および図１５に示されるように、電源キー制御ＩＣ７０は、ＯＮモード信号Ｍｏｎとして、所定周期Ｋ１の連続パルス信号を生成し、ＯＦＦモードを指定する際、連続パルス信号の出力を制限する（「制限処理」の一例）。実施形態２においては、実施形態１と同様に、連続パルス信号の生成を停止する。そのため、ＯＦＦモード信号Ｍｏｆｆとして、ローレベルで一定のローレベル信号が生成される。また、実施形態２では、実施形態１のオン計時信号Ｓｋｏｎは、オフ計時信号Ｓｋｏｆｆとなり、カウント信号Ｓｃｔは、ＯＮモード信号確認期間Ｋｏｎに対応した信号となる。
【００９２】
すなわち、実施形態２では、ＯＦＦモード信号Ｍｏｆｆは、ローレベルがＯＦＦモード信号確認期間Ｋｏｆｆ以上継続する信号とされ、ＯＮモード信号Ｍｏｎは所定周期のパルス信号がＯＮモード信号確認数Ｎｏｎ以上連続する連続パルス信号とされる。
【００９３】
この場合、図１４の時刻ｔ２１において、ＯＦＦモードからＯＮモードへ移行するために電源キーＳＷ１が押下されると、電源キー制御ＩＣ７０は、時刻ｔ２２において、連続パルス信号であるＯＮモード信号Ｍｏｎの電源制御ＩＣ２２への送信を開始する。そして、時刻ｔ２２からＯＮモード信号確認期間Ｋｏｎが経過すると、電源制御ＩＣ２２は、スイッチング電源２０を発振させて、モードをＯＦＦモードからＯＮモードへ移行させる（時刻ｔ２４参照）。
【００９４】
一方、図１４の時刻ｔ２１において、ＯＮモードからＯＦＦモードへ移行するために電源キーＳＷ１が押下されると、電源キー制御ＩＣ７０は、時刻ｔ２２において、ローレベルで一定のローレベル信号であるＯＦＦモード信号Ｍｏｆｆの電源制御ＩＣ２２への送信を開始する。そして、時刻ｔ２２からＯＦＦモード信号確認期間Ｋｏｆｆが経過すると、電源制御ＩＣ２２は、スイッチング電源２０の発振を停止させて、モードをＯＮモードからＯＦＦモードへ移行させる（時刻ｔ２３参照）。
【００９５】
この場合であっても、実施形態１と同等に、図１４に示されるように、ＯＮモード中にイネーブル（モード指定端子）ＥＮへの外乱ノイズ等が侵入した場合であっても、その外乱ノイズによってＯＦＦモードと指定されることが抑制される。また、ＯＦＦモード中にイネーブルＥＮへの外乱ノイズ等が侵入した場合であっても、その外乱ノイズによってＯＮモードと指定されることが抑制される。
【００９６】
また、図１５に示されるように、ＯＦＦモードで電源オフされた場合、電源オン時（時刻ｔ３１）にモード指定端子ＮＥには所定周期Ｋ１の連続パルス信号であるＯＮモード信号Ｍｏｎが供給され、ＯＮモード信号確認期間Ｋｏｎが経過すると（時刻ｔ３２）、ＯＮモードとなる（時刻ｔ３３）。また、パルス信号の立ち下がり時刻（時刻ｔ３４）からＯＦＦモード信号確認期間Ｋｏｆｆが経過すると（時刻ｔ３５）、ＯＦＦモードに移行する（時刻ｔ３６）。そのため、電源オン時にモード指定端子ＮＥにノイズが侵入しても、その影響は抑制され、前回電源オフ時のＯＦＦモードへの復帰の信頼性が向上する。
【００９７】
また、ＯＮモードで電源オフされた場合においても、電源オン時にモード指定端子ＮＥには連続パルス信号であるＯＮモード信号Ｍｏｎが供給され、その後も、モード指定端子ＮＥには連続パルス信号が継続して入力されて、ＯＮモードが保持される。そのため、電源オン時にモード指定端子ＮＥにノイズが侵入しても、その影響は抑制され、前回電源オフ時のＯＮモードへの復帰の信頼性が向上する。
【００９８】
＜実施形態３＞
次に図１６および図１７を参照して、電源キーＳＷ１が押下された際に、電源キー制御ＩＣ７０が電源制御ＩＣ２２の状態を判断してモード設定が行われる例を説明する。なお、実施形態１の図５と同一の処理については同一のステップ番号を付し、説明を簡略化する。また、電源システム１００の回路構成は、実施形態１と同一のため、説明を省略する。実施形態３は、実施形態１とは、電源キー制御ＩＣ７０の制御の一部と、それに関連する処理が異なる。
【００９９】
現在、ＯＮモードに設定されている場合において、電源キー制御ＩＣ７０は、電源キーＳＷ１が押下されたか否かを判定する（ステップＳ１１０Ａ）。電源キーＳＷ１が押下された場合（ステップＳ１１０Ａ：ＹＥＳ）、電源キー制御ＩＣ７０は、電圧検出回路７２の検出電圧が所定値以上であるか否かを判断する（ステップＳ５１０：「判断処理」の一例：図１７参照）。
【０１００】
ここで、検出電圧は、スイッチング電源２０が発振している状態であるか、が発振を停止している状態であるかを示す電源情報の一例である。また、電圧検出回路７２は、電源情報生成回路の一例である。なお、電源情報生成回路は、電圧検出回路７２に限られない。電源制御ＩＣ２２が電源情報生成回路を含むようにし、電源制御ＩＣ２２から電源キー制御ＩＣ７０に電源情報を供給するようにしてもよい。その際、例えば電源制御ＩＣ２２の電源切替部２２Ｄが、ＶＣＣ端子からの電圧に基づいて、スイッチング電源２０の発振状態か否かの電源情報を生成するようにしてもよい。
【０１０１】
この処理は、ＥＥＰＲＯＭ７１（記憶部）に記憶されているモード情報がＯＮモードである場合において、スイッチング電源２０が発振している状態を示す電源情報を生成されるときに正常状態であると判断し、スイッチング電源２０が発振を停止している状態を示す電源情報を生成されるときに異常状態であると判断する、判断処理の一例である。ＯＮモードに設定されている場合、電源キー制御ＩＣ７０は、出力電圧が所定値以上である場合、正常状態であると判断し、出力電圧が所定値未満である場合、異常状態であると判断する。
【０１０２】
検出電圧が所定値以上であると判断した場合（ステップＳ５１０：ＹＥＳ）、電源キー制御ＩＣ７０は、スイッチング電源２０が正常に動作しており、電源キーＳＷ１の押下は、ＯＮモードをＯＦＦモードに移行するための押下であると判断して、ステップＳ１２０からステップＳ１３５の処理を行う。それによって、ＯＮモードに移行させる。
【０１０３】
一方、検出電圧が所定値以上でないと判断した場合（ステップＳ５１０：ＮＯ）、電源キー制御ＩＣ７０は、何らかの原因でスイッチング電源２０が正常に動作しておらずＯＦＦモードにあり、電源キーＳＷ１の押下は、電源キー制御ＩＣ７０は、ＯＦＦモードをＯＮモードに復帰させるための押下であると判断して、ステップＳ１５０からステップＳ１６０の処理を行う。それによって、ＯＮモードに復帰させる。この場合、ステップＳ１５０の処理は、スイッチング電源２０が異常状態であると判断した場合、電源制御ＩＣ２２にＯＮモードを指定するＯＮモード信号（モード指定信号）Ｍｏｎを出力する異常時出力処理の一例である。
【０１０４】
このように、実施形態３によれば、ＥＥＰＲＯＭ７１にＯＮモードのモード情報が記憶されているときにノイズ等によってスイッチング電源２０の発振が停止されたとしても、異常時出力処理（ステップＳ１５０）によってスイッチング電源２０を発振状態に復帰させることができる。
【０１０５】
なお、実施形態３は、現在、ＯＦＦモードに設定されている場合においても適用できる（図１７参照）。その場合、スイッチング電源２０が発振している場合が異常状態であり、スイッチング電源２０が発振を停止している場合が正常状態となる。そのため、ステップＳ５１０の判断処理において、検出電圧が所定値以上であると判断した場合（ステップＳ５１０：ＹＥＳ）、異常状態と判断され、ステップＳ１２０からステップＳ１３５の処理によって、ＯＮモードに復帰させる。一方、ステップＳ５１０の判断処理において、検出電圧が所定値以上でないと判断した場合（ステップＳ５１０：ＮＯ）、正常状態と判断され、ステップＳ１５０からステップＳ１６０の処理によって、ＯＮモードへ移行させる。
【０１０６】
＜実施形態４＞
次に、図１８を参照して、電源制御ＩＣ２２が、イネーブル端子ＥＮにモード指定信号が入力されたことを示す信号であるモード移行信号を電源キー制御ＩＣ７０に伝達する処理（「変更通知処理」の一例）を実行する例を説明する。モード移行信号（Ｓｔｏｎ、Ｓｔｏｆｆ）の生成は、例えば、電源制御ＩＣ２２の駆動制御部２２Ｃが、カウンタ２２Ｂあるいはタイマ２２Ａから入力される信号に基づいて行う。なお、電源システム１００の回路構成は、実施形態１と同一のため、説明を省略する。実施形態４は、実施形態１とは、電源制御ＩＣ２２の制御の一部と、それに関連する処理が異なる。
【０１０７】
すなわち、現在、ＯＮモードに設定されている場合において、電源キーＳＷ１が押下され、電源キー制御ＩＣ７０からＯＦＦモード信号Ｍｏｆｆを受け取り、ＯＦＦモードに移行すると、電源キー制御ＩＣ７０は、電源制御ＩＣ２２は、ＯＦＦモード移行信号Ｓｔｏｆｆを電源キー制御ＩＣ７０に送信する（ステップＳ６１０）。ＯＦＦモード移行信号Ｓｔｏｆｆにしたがって、ＥＥＰＲＯＭ７１をＯＦＦモードに設定し、ＯＦＦモードを維持する（ステップＳ６２０）。
【０１０８】
一方、現在、ＯＦＦモードに設定されている場合において、電源キーＳＷ１が押下され、電源キー制御ＩＣ７０からＯＮモード信号Ｍｏｎを受け取り、ＯＮモードに移行すると、電源制御ＩＣ２２は、ＯＮモード移行信号Ｓｔｏｎを電源キー制御ＩＣ７０に送信する（ステップＳ６３０）。電源キー制御ＩＣ７０は、ＯＮモード移行信号Ｓｔｏｎにしたがって、ＥＥＰＲＯＭ７１をＯＮモードに設定し、ＯＮモードを維持する（ステップＳ６４０）。
【０１０９】
また、現在、ＯＮモードに設定されている場合において、何らかの要因、例えば、外来ノイズ等によって、ＯＦＦモードに移行すると、電源制御ＩＣ２２は、ＯＦＦモード移行信号Ｓｔｏｆｆを電源キー制御ＩＣ７０に送信する（ステップＳ６５０）。また、スイッチング電源２０が発振の発振を停止させ、ＡＳＩＣ６０への電力供給を停止する。電源キー制御ＩＣ７０は、ＯＦＦモード移行信号Ｓｔｏｆｆにしたがって、ＥＥＰＲＯＭ７１をＯＦＦモードに設定し、ＯＦＦモードを維持する（ステップＳ６６０）。また、ＡＳＩＣ６０は動作を停止する。
【０１１０】
このように、実施形態４によれば、ＥＥＰＲＯＭ７１にＯＮモードが設定されている場合において、電源制御ＩＣ２２に外乱ノイズ等が入ってモードが変更され、スイッチング電源２０の発振が停止された場合であっても、電源制御ＩＣ２２が異常状態を判断し、それを電源キー制御ＩＣ７０に通知する。それによって、電源キー制御ＩＣ７０は、ＥＥＰＲＯＭ７１にＯＦＦモードのモード情報を設定する。そのため、外乱ノイズ等が入ってモードが変更された場合であっても、現在の動作モードとＥＥＰＲＯＭ７１に記憶されたモード情報とを一致させることができる。
【０１１１】
＜他の実施形態＞
本発明は上記記述及び図面によって説明した実施形態に限定されるものではなく、例えば次のような実施形態も本発明の技術的範囲に含まれる。
【０１１２】
（１）本実施形態において、連続パルス信号の出力を制限する制限処理において、連続パルス信号の出力を停止する例（ローレベルで一定の信号とする例）を示したが、これに限られない。例えば、連続パルス信号のパルス周期を長くするようにしてもよい。
【０１１３】
（２）実施形態３および実施形態４は、モード指定信号である、ＯＮモード信号ＭｏｎおよびＯＦＦモード信号Ｍｏｆｆが、単発パルス信号である場合にも適応できる。すなわち、スイッチング電源２０の動作モードを変更する際に、ＯＮモードを指定する場合およびＯＦＦモードを指定するそれぞれの場合に、個別のパルス信号を用いる構成においても、実施形態３および実施形態４を適用できる。この場合、外乱ノイズに対する影響が受けやすいため、実施形態３および実施形態４の構成による外乱ノイズの影響の抑制効果が、より期待できる。
【０１１４】
（３）上記実施形態において、電源キーＳＷ１によって、スイッチング電源２０のモード切替え指示が行われ、その指示に基づいて、ＡＳＩＣ６０（システム制御部）がモード設定を行う電源システム１００の例を示したが、これに限られない。電源キーおよびシステム制御部を有さない電源システムにも本発明は適用できる。
【０１１５】
（４）上記実施形態において、本明細書によって開示される電源システム１００を画像形成装置に適用した例を示すが、これに限られない。電源システム１００は、電源システム１００に含まれるスイッチング電源２０をＯＮモードとＯＦＦモードとに制御して使用する、あらゆる装置に適用できる。
【符号の説明】
【０１１６】
１…プリンタ、２０…スイッチング電源、２２…電源制御ＩＣ、２２Ａ…タイマ、２２Ｂ…カウンタ、２２Ｃ…駆動制御部、３０…小容量電源、６０…ＡＳＩＣ、７０…電源キー制御ＩＣ、７１…ＥＥＰＲＯＭ、７２…電圧検出回路、１００…電源システム、ＳＷ１…電源キー
【図１】
2015198509.tif 000003
【図２】
2015198509.tif 000004
【図３】
2015198509.tif 000005
【図４】
2015198509.tif 000006
【図５】
2015198509.tif 000007
【図６】
2015198509.tif 000008
【図７】
2015198509.tif 000009
【図８】
2015198509.tif 000010
【図９】
2015198509.tif 000011
【図１０】
2015198509.tif 000012
【図１１】
2015198509.tif 000013
【図１２】
2015198509.tif 000014
【図１３】
2015198509.tif 000015
【図１４】
2015198509.tif 000016
【図１５】
2015198509.tif 000017
【図１６】
2015198509.tif 000018
【図１７】
2015198509.tif 000019
【図１８】
2015198509.tif 000020